(57)【要約】【課題】  下面スイッチ部と他のスイッチ部との操作力感の違いによって誤操作を防ぐことができる携帯端末を提供する。【解決手段】  所定の把握態様でユーザの手により把握可能なグリップ部１４と、機器ケース１の裏面から被押圧部である操作釦２０ｂが露出するように設けられ、前記把握態様でユーザがグリップ部１４を把握した手の示指Ｆ２によって操作可能な下面トリガーキー２０と、機器ケース１の表面から被押圧部が露出するように設けられ、前記把握態様でユーザが把握した手の母指Ｆ１によって操作可能な上面トリガーキー５ａと、を備え、被押圧部に対して必要な操作力感が、上面トリガーキー５ａよりも下面トリガーキー２０の方が大きくなるように設定されている。従って、下面トリガーキー２０と他の上面トリガーキー５ａとの操作力感の違いによって誤操作を防ぐことができる。【選択図】        図９
2019021215.tif 000002
【特許請求の範囲】
【請求項１】
所定の把握態様でユーザの手により把握可能なグリップ部と、
当該端末本体の第１の面から少なくとも被押圧部が露出するように設けられ、前記把握態様でユーザが前記グリップ部を把握した手の示指によって操作可能な第１スイッチ部と、
前記第１の面に対して反対側に位置する当該端末本体の第２の面から少なくとも被押圧部が露出するように設けられ、前記把握態様でユーザが把握した手の母指によって操作可能な第２スイッチ部と、
を備え、
前記被押圧部に対して必要な操作力感が、前記第２スイッチ部よりも前記第１スイッチ部の方が大きくなるように設定されていることを特徴とする携帯端末。
【請求項２】
当該端末本体の側面から少なくとも被押圧部が露出するように、当該端末本体の両側に側面スイッチが設けられた携帯端末であって、
ユーザが一方の手の母指を当該端末本体の表面に被せ当該端末本体の脇側から延ばした少なくとも示指と中指とで当該端末本体の裏面を支えるような把握態様で、前記一方の手により把握可能なグリップ部と、
前記裏面から被押圧部が露出するように設けられ、前記把握態様のときに前記一方の手の示指によって操作可能な下面スイッチ部と、
を備え、
前記被押圧部に対して必要な操作力感が、前記側面スイッチ部よりも前記下面スイッチ部の方が大きくなるように設定されていることを特徴とする携帯端末。
【請求項３】
当該端末本体の表面から少なくとも被押圧部が露出するように、当該端末本体の表面に複数の表面スイッチが設けられた携帯端末であって、
ユーザが一方の手の母指を当該端末本体の表面に被せ当該端末本体の脇側から延ばした少なくとも示指と中指とで当該端末本体の裏面を支えるような把握態様で、前記一方の手により把握可能なグリップ部と、
前記裏面から被押圧部が露出するように設けられ、前記把握態様のときに前記一方の手の示指によって操作可能な下面スイッチ部と、
を備え、
前記被押圧部に対して必要な操作力感が、前記複数の表面スイッチ部のそれぞれよりも前記下面スイッチ部の方が大きくなるように設定されていることを特徴とする携帯端末。
【請求項４】
請求項１〜請求項３のいずれかに記載の携帯端末において、
前記被押圧部の突出状態または陥没状態を前記スイッチ部間で異ならせることにより、前記必要な操作力感が前記スイッチ部間で異なるように構成されていることを特徴とする携帯端末。
【請求項５】
請求項１〜請求項４のいずれかに記載の携帯端末において、前記被押圧部に対して必要な操作荷重を前記スイッチ部間で異ならせることにより、前記必要な操作力感が前記スイッチ部間で異なるように構成されている携帯端末。
【請求項６】
請求項１〜請求項５のいずれかに記載の携帯端末において、
前記被押圧部に対して必要な操作ストロークを前記スイッチ部間で異ならせることにより、前記必要な操作力感が前記スイッチ部間で異なるように構成されていることを特徴とする携帯端末。
【請求項７】
請求項１〜請求項６のいずれかに記載の携帯端末において、
前記被押圧部に対して必要なクリック感を前記スイッチ部間で異ならせることにより、前記必要な操作力感が前記スイッチ部間で異なるように構成されていることを特徴とする携帯端末。
【発明の詳細な説明】
【技術分野】
【０００１】
この発明は、手に持って使用する携帯端末に関する。
【背景技術】
【０００２】
例えば、手に持って使用する携帯端末においては、特許文献１に記載されているように、機器ケースの下面が湾曲形状に形成されていると共に、この機器ケースの下面に指掛突起部を設け、機器ケースの上面にユーザの保持手の母指を配置させ、機器ケースの下面に他の指を配置させて示指を指掛突起部に引っ掛けた状態で、機器ケースを片手で握るように構成されたものが知られている。
【先行技術文献】
【特許文献】
【０００３】
【特許文献１】特開平１０−１１２８９１号公報
【０００４】
すなわち、この種の携帯端末は、機器ケースの上面に設けられたキー操作部上に母指を配置させ、機器ケースの下面に他の指を配置させて機器ケースを片手で握った状態で、機器ケースの下面に設けられた指掛突起部に示指をピストルの引金に掛けるのと同じように引っ掛けることにより、母指で上面の操作部を操作すると共に、下面の指掛突起部に設けられた下面スイッチを示指でスイッチ操作するように構成されている。
【発明の概要】
【発明が解決しようとする課題】
【０００５】
しかしながら、このような携帯端末では、ユーザが母指を機器ケースの上面に被せるように且つ機器ケースを脇から片手で掴むように機器ケースを把握したときに、ユーザが把握した手の示指が機器ケースの指掛突起部に引っ掛けられ、この指掛突起部に対応して設けられた下面スイッチをユーザの把握手の示指で操作した場合と、機器ケースの上面に設けられたキー操作部をユーザの把握手の母指で操作した場合とで、操作力感に違いが生じないため、下面スイッチとキー操作部との誤操作を起こすという不都合がある。
【０００６】
この発明が解決しようとする課題は、下面スイッチ部と他のスイッチ部との操作力感の違いによって誤操作を防ぐことができる携帯端末を提供することである。
【課題を解決するための手段】
【０００７】
この発明は、所定の把握態様でユーザの手により把握可能なグリップ部と、当該端末本体の第１の面から少なくとも被押圧部が露出するように設けられ、前記把握態様でユーザが前記グリップ部を把握した手の示指によって操作可能な第１スイッチ部と、前記第１の面に対して反対側に位置する当該端末本体の第２の面から少なくとも被押圧部が露出するように設けられ、前記把握態様でユーザが把握した手の母指によって操作可能な第２スイッチ部と、を備え、前記被押圧部に対して必要な操作力感が、前記第２スイッチ部よりも前記第１スイッチ部の方が大きくなるように設定されていることを特徴とする携帯端末である。
【０００８】
また、この発明は、当該端末本体の側面から少なくとも被押圧部が露出するように、当該端末本体の両側に側面スイッチが設けられた携帯端末であって、ユーザが一方の手の母指を当該端末本体の表面に被せ当該端末本体の脇側から延ばした少なくとも示指と中指とで当該端末本体の裏面を支えるような把握態様で、前記一方の手により把握可能なグリップ部と、前記裏面から被押圧部が露出するように設けられ、前記把握態様のときに前記一方の手の示指によって操作可能な下面スイッチ部と、を備え、前記被押圧部に対して必要な操作力感が、前記側面スイッチ部よりも前記下面スイッチ部の方が大きくなるように設定されていることを特徴とする携帯端末である。
【０００９】
さらに、この発明は、当該端末本体の表面から少なくとも被押圧部が露出するように、当該端末本体の表面に複数の表面スイッチが設けられた携帯端末であって、ユーザが一方の手の母指を当該端末本体の表面に被せ当該端末本体の脇側から延ばした少なくとも示指と中指とで当該端末本体の裏面を支えるような把握態様で、前記一方の手により把握可能なグリップ部と、前記裏面から被押圧部が露出するように設けられ、前記把握態様のときに前記一方の手の示指によって操作可能な下面スイッチ部と、を備え、前記被押圧部に対して必要な操作力感が、前記複数の表面スイッチ部のそれぞれよりも前記下面スイッチ部の方が大きくなるように設定されていることを特徴とする携帯端末である。
【発明の効果】
【００１０】
この発明によれば、下面スイッチ部と他のスイッチ部との操作力感の違いによって誤操作を防ぐことができる。
【図面の簡単な説明】
【００１１】
【図１】この発明を携帯端末に適用した一実施形態を示した正面図である。
【図２】図１に示された携帯端末の裏面図である。
【図３】図２に示された携帯端末を左側から見た側面図である。
【図４】図１に示された携帯端末を裏面側から見た斜視図である。
【図５】図４に示された携帯端末のＡ−Ａ矢視における断面を示した斜視図である。
【図６】図４に示された携帯端末において、電池蓋を取り外した状態を示した斜視図である。
【図７】図４に示された携帯端末の電池蓋を示した斜視図である。
【図８】図７に示された電池蓋のＢ−Ｂ矢視における断面を示した斜視図である。
【図９】図５に示された携帯端末の下面トリガーキーを示した拡大断面図である。
【図１０】図６に示された携帯端末のＣ−Ｃ矢視における断面を示した拡大斜視図である。
【発明を実施するための形態】
【００１２】
以下、図１〜図１０を参照して、この発明を適用した携帯端末の一実施形態について説明する。
この携帯端末は、図１〜図４に示すように、端末本体である機器ケース１を備えている。この機器ケース１は、長手方向である縦方向（図１では上下方向）に長い縦長のほぼ長方形状に形成されている。
【００１３】
この機器ケース１は、図１〜図４に示すように、上辺側のほぼ半分が幅広部１ａに形成され、下辺側のほぼ半分が幅狭部１ｂに形成され、全体がほぼ羽子板形状に形成されている。すなわち、上辺側の幅広部１ａは、その縦方向と直交する横方向（図１では左右方向）の長さ（幅）が、下辺側の幅狭部１ｂの横方向（図１では左右方向）の長さ（幅）よりも長く（広く）形成されている。
【００１４】
また、この機器ケース１は、図１〜図５に示すように、上部ケース２と下部ケース３とを有し、これらの内部にモジュール（図示せず）が組み込まれるように構成されている。上部ケース２は、図１および図３に示すように、機器ケース１と同様、上辺側の幅広部と下辺側の幅狭部とを有するほぼ羽子板形状に形成され、その外周の側面部が下部ケース３に取り付けられるように構成されている。
【００１５】
この場合、上部ケース２の上面である表面における上辺側の幅広部には、図１および図５に示すように、そのほぼ全域に亘って表示部４が設けられている。また、上部ケース２の表面における下辺側の幅狭部には、そのほぼ全域に亘ってキー操作部５が設けられている。表示部４は、液晶表示パネルやＥＬ（エレクトロ・ルミネッセンス）表示パネルなどの平面型の表示パネルであり、ほぼ長方形状に形成されている。
【００１６】
この表示部４は、図１および図５に示すように、上部ケース２の表面に設けられた表示窓部４ａに対応した状態で上部ケース２内に配置され、表示された情報が表示窓部４ａを通して上部ケース２の上方から見えるように構成されている。キー操作部５は、テンキー、カーソルキー、ファンクションキーなどの携帯端末に必要な各種のキーを備えている。この場合、キー操作部５は、その上辺の中間部に上面トリガーキー５ａが配置されている。
【００１７】
下部ケース３は、図２〜図４に示すように、上部ケース２と同様、上辺側の幅広部と下辺側の幅狭部とを有するほぼ羽子板形状に形成され、その外周の側面部が上部ケース２に取り付けられるように構成されている。この下部ケース３の上辺部側に位置する幅広部の下面である裏面には、光学読取部６が設けられている。
【００１８】
この光学読取部６は、図２〜図５に示すように、レーザ読取部と撮像部（いずれも図示せず）とを備え、これらが下部ケース３の幅広部における上辺部側に位置する裏面に箱型形状に突出して設けられた読取突起部６ａ内に格納されている。この場合、読取突起部６ａには、レーザ読取部に対応する第１窓部６ｂと、撮像部に対応する第２窓部６ｃと、が設けられている。
【００１９】
これにより、光学読取部６は、図２〜図５に示すように、レーザ読取部がレーザ光線を読取突起部６ａの第１窓部６ｂから機器ケース１の外部に出射させ、そのレーザ光線の反射光を受光することにより、物品のバーコードなどを読み取るように構成されている。また、この光学読取部６は、撮像部が第２窓部６ｃを通してレーザ読取部で読み取る物品の画像を撮影するように構成されている。
【００２０】
また、機器ケース１の縦方向（長手方向）におけるほぼ中間部、つまり幅広部１ａと幅狭部１ｂとの境界部側に位置する幅広部１ａの両側部には、図１〜図５に示すように、側面トリガーキー８がそれぞれ設けられている。これら側面トリガーキー８およびキー操作部５の上面トリガーキー５ａは、光学読取部６による読取動作を実行させるためのものである。
【００２１】
さらに、この機器ケース１の下辺部側に位置する幅狭部１ｂには、図２〜図６に示すように、電池蓋１０で覆われる電池収納部１１がキー操作部５に対応して設けられている。この電池収納部１１は、充電池１２を収納するものであり、機器ケース１の幅狭部１ｂに設けられたキー操作部５に対応した状態で、機器ケース１の幅狭部１ｂの内部に設けられ、機器ケース１の裏面に設けられた開口部１１ａによって裏面側に開放されている。
【００２２】
この場合、電池収納部１１と光学読取部６との間に位置する下部ケース３の裏面には、図２および図４に示すように、電池収納部１１を開閉可能に覆う電池蓋１０を下部ケース３に着脱可能に取り付けるための一対の取付レバー１３が設けられている。すなわち、一対の取付レバー１３は、機器ケース１の両側部に設けられた側面トリガーキー８の近傍に設けられている。これら一対の取付レバー１３は、これらを回転操作させて、電池蓋１０の上辺部の縁部を下部ケース３の裏面に係脱可能に係止させるように構成されている。
【００２３】
これにより、電池蓋１０は、図２、図４および図５に示すように、電池収納部１１の開口部１１ａを開閉可能に覆った状態で、上辺部の縁部が一対の取付レバー１３によって係止されることにより、電池収納部１１の下辺部側から後述する下面トリガーキー２０を超えた状態で、下部ケース３の裏面に取り付けられるように構成されている。また、この電池蓋１０は、その下辺部側の端部に支点突起部１０ａが設けられ、この支点突起部１０ａを支点として回転することにより、電池収納部１１を開閉するように構成されている。
【００２４】
ところで、機器ケース１の下辺部側に位置する幅狭部１ｂには、図１〜図４に示すように、機器ケース１の第１の面である表面と、その反対側に位置する第２の面である裏面とに跨ってユーザの一方の手により把握可能なグリップ部１４が設けられている。このグリップ部１４は、ユーザの一方の手の母指Ｆ１を機器ケース１の表面に被せ機器ケース１の脇側から延ばした他の指Ｆ２〜Ｆ５で機器ケース１の裏面を支えるような把握態様で、ユーザの一方の手により把握可能に構成されている。
【００２５】
すなわち、このグリップ部１４は、図１〜図４に示すように、機器ケース１の幅狭部１ｂである上部ケース２の幅狭部と、下部ケース３の幅狭部と、下部ケース３の電池蓋１０と、で構成されている。この場合、グリップ部１４における上部ケース２の幅狭部と下部ケース３の幅狭部との各側面部は、ユーザがグリップ部１４を上述した把握態様で把握する手を自然に湾曲させる円弧状の湾曲面に形成されている。また、下部ケース３の電池蓋１０は、下部ケース３の両側部から裏面側に向けて緩やかに湾曲して突出する湾曲形状に形成されている。
【００２６】
これにより、グリップ部１４は、図１〜図４に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような把握態様のときに、ユーザの他の指Ｆ２〜Ｆ５が機器ケース１の裏面に自然に曲がって巻き付くような形状に形成されている。
【００２７】
このため、グリップ部１４は、図１〜図４に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような把握態様でユーザが一方の手で機器ケース１を保持した際に、ユーザの把握手がフィットすることにより、ユーザの手の大きさに係わらず、ユーザが片手で握り易い形状に形成されている。
【００２８】
また、このグリップ部１４のうち、裏面に位置する電池蓋１０には、図２〜図５に示すように、ユーザが母指Ｆ１を機器ケース１の表面に被せ機器ケース１の脇側から延ばした他の指Ｆ２〜Ｆ５で機器ケース１の裏面を支えるような把握態様でユーザが一方の手で機器ケース１を保持した際に、ユーザが把握する手の示指Ｆ２と中指Ｆ３との間に膨らみを持たせる形状に盛り上がる盛上り部１５が設けられている。
【００２９】
この場合、機器ケース１の裏面には、図２〜図５に示すように、えぐれ部１６がグリップ部１４とこのグリップ部１４の延長上に位置する機器ケース１の他端部側との間に窪んで設けられている。すなわち、このえぐれ部１６は、電池蓋１０の盛上り部１５と光学読取部６の読取突起部６ａとの間に窪んだ状態で設けられている。
【００３０】
これにより、えぐれ部１６は、図２〜図５に示すように、ユーザがキー操作部５を母指Ｆ１で操作すべく、ユーザが母指Ｆ１を機器ケース１の表面に被せ機器ケース１の脇側から延ばした他の指Ｆ２〜Ｆ５で機器ケース１の裏面を支えるような把握態様でユーザが一方の手でグリップ部１４を保持した際に、ユーザが把握する手の示指Ｆ２がグリップ部１４側に位置するえぐれ部１６の斜面に配置されるように構成されている。
【００３１】
この場合、盛上り部１５は、図２〜図５に示すように、ユーザがキー操作部５を母指Ｆ１で操作すべく、ユーザが母指Ｆ１を機器ケース１の脇側から延ばした他の指Ｆ２〜Ｆ５で機器ケース１の裏面を支えるような把握態様でユーザが一方の手でグリップ部１４を保持した際に、ユーザが把握する手の示指Ｆ２と中指Ｆ３との間に位置する山形状の頭頂部１５ａを有している。この頭頂部１５ａは、ユーザが把握する手の示指Ｆ２と中指Ｆ３との間に位置して、示指Ｆ２と中指Ｆ３との屈曲形状に沿って湾曲状に連続するように形成されている。
【００３２】
すなわち、この頭頂部１５ａは、図２〜図５に示すように、機器ケース１の長手方向と直交する横方向に示指Ｆ２と中指Ｆ３との屈曲形状に沿って湾曲状に連続すると共に、その連続する横方向における中間部が機器ケース１の裏面側に向けて最も大きく突出し、横方向の中間部から横方向の両側に向かうに従って次第に突出長さが小さくなるように形成されている。また、この盛上り部１５は、頭頂部１５ａの一方側の裾野である第１の指掛領域１７と、頭頂部１５ａの他方側の裾野である第２の指掛領域１８と、を備えている。
【００３３】
第１の指掛領域１７は、図２〜図５に示すように、ユーザが上述した把握態様でグリップ部１４を把握した際に、示指Ｆ２が押し当てられる斜面であり、電池蓋１０の上辺部側から頭頂部１５ａに向けて急な傾斜面に形成されている。第２の指掛領域１８は、ユーザが上述した把握態様でグリップ部１４を把握した際に、中指Ｆ３〜小指Ｆ５が押し当てられる斜面であり、頭頂部１５ａから電池蓋１０の下辺側に向けて緩やかに傾斜する傾斜面に形成されている。
【００３４】
すなわち、第１の指掛領域１７は、図２〜図５に示すように、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様のときに、ユーザが把握する手の示指Ｆ２の腹が電池蓋１０の縦方向（長手方向）における下辺部側、つまりユーザが把握する手側に向けて押し当てられて配置されるような傾斜面に形成されている。
【００３５】
この第１の指掛領域１７は、図２〜図５に示すように、グリップ部１４側に位置するえぐれ部１６の傾斜面であり、電池蓋１０の上辺側に位置する上辺側から頭頂部１５ａに向けて急な角度で立ち上る傾斜面に形成されている。また、この第１の指掛領域１７は、機器ケース１の縦方向（長手方向）と直交する横方向に連続する頭頂部１５ａに沿って示指Ｆ２の屈曲状態に対応する円弧状に湾曲して形成されている。
【００３６】
このため、この盛上り部１５は、図２〜図５に示すように、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を握った際に、ユーザの示指Ｆ２が第１の指掛領域１７の湾曲に沿って屈曲した形状で、その示指Ｆ２の腹が第１の指掛領域１７に押し当てられ、この状態で第１の指掛領域１７を機器ケース１の縦方向における下辺部側、つまりユーザが把握する手側に向けて引き寄せるように構成されている。
【００３７】
一方、第２の指掛領域１８は、図２〜図５に示すように、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を把握するときに、ユーザが把握する手の他の指Ｆ３〜Ｆ５の各腹がグリップ部１４の電池蓋１０を機器ケース１に向けて押し当てられて、ユーザの中指Ｆ３〜小指Ｆ５が並んだ状態で自然に曲がるような湾曲面に形成されている。
【００３８】
すなわち、この第２の指掛領域１８は、図２〜図４に示すように、頭頂部１５ａから電池蓋１０の下辺側に向けて緩やかに傾斜する湾曲面に形成されている。これにより、この第２の指掛領域１８は、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を把握するときに、示指Ｆ２以外の指Ｆ３〜Ｆ５が並んで自然な状態で曲がるように、電池蓋１０の裏面側に向けて凸となる緩やかな湾曲形状に形成されている。
【００３９】
さらに、この機器ケース１は、図１〜図５に示すように、グリップ部１４が機器ケース１の横方向における中心位置を軸にして左右対称な形状で形成されている。これにより、この機器ケース１は、ユーザがグリップ部１４を握る際に、ユーザが右手でも、また左手でも、同じように握れるように構成されている。
【００４０】
ところで、電池蓋１０は、図５、図９および図１０に示すように、電池収納部１１の下辺部の端部から盛上り部１５の第１の指掛領域１７を超えて下部ケース３の裏面に設けられた一対の取付レバー１３に向けて延長されている。すなわち、この電池蓋１０は、一対の取付レバー１３に向けて延長された延長部１７ａが後述する下面トリガーキー２０を超えるように形成されている。
【００４１】
また、この電池蓋１０は、図５、図９および図１０に示すように、盛上り部１５の第１の指掛領域１７および延長部１７ａが、下部ケース３に設けられた蓋保持部２３の裏面に配置されて保持されるように構成されている。この蓋保持部２３は、第１の指掛領域１７と同じ形状に盛り上がって形成されている。
【００４２】
この蓋保持部２３の内部には、図５、図９および図１０に示すように、下面トリガーキー２０が設けられている。この下面トリガーキー２０は、キー操作部５の上面トリガーキー５ａおよび側面トリガーキー８と同様、光学読取部６による読取動作を実行させるためのものである。この下面トリガーキー２０は、スイッチ本体２０ａと操作釦２０ｂとスイッチ保持部２０ｃとを備えている。
【００４３】
すなわち、この下面トリガーキー２０のスイッチ保持部２０ｃは、図５、図９および図１０に示すように、第１の指掛領域１７に対応する蓋保持部２３内に配置された状態で、蓋保持部２３の内面にビス２３ｂによって取り付けられている。スイッチ本体２０ａは、盛上り部１５の第１の指掛領域１７の傾斜面と平行に傾斜した状態で、スイッチ保持部２０ｃに保持されている。
【００４４】
このスイッチ本体２０ａは、図９および図１０に示すように、スイッチ基板２５とゴムシート２６とばね部材２７とを備えている。スイッチ基板２５は、その表面に一対の接点（図示せず）が設けられ、第１の指掛領域１７の傾斜面と平行に傾斜した状態で、スイッチ保持部２０ｃに配置されている。このスイッチ基板２５は、機器ケース１の幅広部１ａ内に設けられた回路基板２２にフレキシブルな配線シート２２ａによって電気的に接続されている。
【００４５】
ゴムシート２６は、図９および図１０に示すように、スイッチ基板２５上に配置されている。このゴムシート２６は、スイッチ基板２５に対向する対向面に凹部２６ａが設けられ、この凹部２６ａ内に凸部２６ｂがスイッチ基板２５の接点に対応して設けられている。このゴムシート２６は、被押圧部である操作釦２０ｂによって押圧された際に、凹部２６ａに対する箇所が弾性変形して、凸部２６ｂがスイッチ基板２５の接点に向けて変位するように構成されている。
【００４６】
ばね部材２７は、図９および図１０に示すように、ほぼ円形状の皿ばねであり、スイッチ基板２５とゴムシート２６との間に配置されている。このばね部材２７は、皿ばねの表裏を反転させた状態、つまり皿ばねの表面の周縁部をスイッチ基板２５上に配置させて皿ばねの表面の中央部をスイッチ基板２５の接点上に浮かせた状態で、スイッチ基板２５上に配置されている。
【００４７】
これにより、ばね部材２７は、図９および図１０に示すように、ゴムシート２６が操作釦２０ｂによって押圧されて、ゴムシート２６の凹部２６ａに対する箇所が弾性変形した際に、ゴムシート２６の凸部２６ｂによって押圧されて弾性変形して、スイッチ基板２５の接点に接触して接点を導通させるように構成されている。
【００４８】
この場合、ばね部材２７は、図９および図１０に示すように、ゴムシート２６の凸部２６ｂによって押圧されてスイッチ基板２５の接点を導通させる際に、急激な弾性変形をして、ユーザの把握手の示指Ｆ２にクリック感を付与させるように構成されている。これにより、ばね部材２７は、ユーザの把握手の示指Ｆ２に付与されたクリック感によって、スイッチ基板２５の接点が導通してスイッチ本体２０ａがオン状態になったことを知らせるように構成されている。
【００４９】
操作釦２０ｂは、図５、図９および図１０に示すように、被押圧部であり、第１の指掛領域１７の傾斜面と平行に傾斜した状態でスイッチ本体２０ａに設けられ、蓋保持部２３に設けられた釦孔２３ａを通して、電池蓋１０の第１の指掛領域１７に設けられた釦挿入孔２１内に配置されている。これにより、操作釦２０ｂは、機器ケース１の外部から押圧操作された際に、クリック感をもってスイッチ本体２０ａをオン動作させるように構成されている。
【００５０】
すなわち、この操作釦２０ｂは、図５および図９に示すように、第１の指掛領域１７の傾斜面に対してほぼ直交する方向に押圧操作された際に、蓋保持部２３の内部に向けて押し込まれて、ゴムシート２６を介してばね部材２７を弾性変形させることにより、スイッチ本体２０ａをオン動作させるように構成されている。この場合、操作釦２０ｂは、その被押圧面が機器ケース１の外部に突出しない状態で、第１の指掛領域１７の釦挿入孔２１内に少し窪んで配置されている。
【００５１】
このため、下面トリガーキー２０は、図５、図９および図１０に示すように、ユーザが機器ケース１のグリップ部１４を一方の手で握った際に、ユーザが把握する手の示指Ｆ２が屈曲した形状で示指Ｆ２の腹が第１の指掛領域１７にその湾曲に沿って押し当てられ、この状態で盛上り部１５を機器ケース１の下辺部側つまりユーザが把握する手側に向けて引き寄せても、操作釦２０ｂが示指Ｆ２の腹で押し込まれることがなく、スイッチ本体２０ａがオン動作しないように構成されている。
【００５２】
また、この下面トリガーキー２０は、図５、図９および図１０に示すように、ユーザがグリップ部１４を一方の手で握り、ユーザが把握する手の示指Ｆ２が屈曲した形状で、その示指Ｆ２の腹が第１の指掛領域１７にその湾曲に沿って押し当てられた状態で、示指Ｆ２の腹が盛上り部１５を機器ケース１の下辺部側つまりユーザが把握する手側に向けて引き寄せて、示指Ｆ２の腹が釦挿入孔２１に強く押し込まれると、操作釦２０ｂが示指Ｆ２の腹によって押し込まれてスイッチ本体２０ａがオン動作するように構成されている。
【００５３】
一方、電池蓋１０は、図５〜図８に示すように、機器ケース１の下辺部側の端部に対応する端部に設けられた支点突起部１０ａを支点として回転することにより、開閉するように構成されている。この場合、電池蓋１０の釦挿入孔２１と下面トリガーキー２０の釦部である操作釦２０ｂとは、電池蓋１０の支点突起部１０ａを支点として回転して電池蓋１０が開閉する際に、釦挿入孔２１の内周面と操作釦部２０ｂの外周部とが互いに当接しない形状に形成されている。
【００５４】
ところで、下面トリガーキー２０は、その操作力感が、図１〜図４に示されたキー操作部５の各キー、このキー操作部５の上面トリガーキー５ａ、側面トリガーキー８の各操作力感と異なるように設定されている。すなわち、この下面トリガーキー２０は、図９に示すように、その操作釦２０ｂが電池蓋１０の釦挿入孔２１内に少し窪んだ状態、つまり陥没状態または突出状態が異なることにより、下面トリガーキー２０の操作力感が、キー操作部５の各キー、このキー操作部５の上面トリガーキー５ａ、側面トリガーキー８の各操作力感よりも強く設定されている。
【００５５】
また、この下面トリガーキー２０は、その操作荷重が、図１〜図４に示されたキー操作部５の各キー、このキー操作部５の上面トリガーキー５ａ、側面トリガーキー８の各操作荷重よりも重く設定されている。すなわち、この下面トリガーキー２０は、図９に示すように、そのスイッチ本体２０ａのばね部材２７のばね力によって、下面トリガーキー２０の操作荷重が、キー操作部５の各キー、このキー操作部５の上面トリガーキー５ａ、側面トリガーキー８の各操作荷重よりも重く設定されている。
【００５６】
さらに、この下面トリガーキー２０は、スイッチ操作されてオン状態になるときに付与されるクリック感が、図１〜図４に示されたキー操作部５の各キー、このキー操作部５の上面トリガーキー５ａ、側面トリガーキー８の各クリック感よりも大きく設定されている。すなわち、この下面トリガーキー２０は、図９に示すように、スイッチ操作されてオン状態になるときに、スイッチ本体２０ａの皿ばねであるばね部材２７が急激な弾性変形をして、ユーザの把握手の示指Ｆ２にクリック感を付与するように構成されている。
【００５７】
このため、この下面トリガーキー２０は、図９に示すように、スイッチ操作されてオン状態になるときに、スイッチ本体２０ａの皿ばねであるばね部材２７が急激な弾性変形をすることにより、ユーザの把握手の示指Ｆ２に付与されるクリック感が、キー操作部５の各キー、このキー操作部５の上面トリガーキー５ａ、側面トリガーキー８の各クリック感よりも大きく設定されている。
【００５８】
次に、このような携帯端末の作用について説明する。
この携帯端末を使用する場合には、まず、機器ケース１の裏面に電池蓋１０を取り付けて、機器ケース１の幅狭部１ｂに設けられた電池収納部１１の開口部１１ａを覆う。このときには、電池蓋１０の下辺部側の端部を電池収納部１１の下辺側の内周部に装着させ、この装着された電池蓋１０の端部の支点突起部１０ａを支点として、電池蓋１０を回転させて電池蓋１０の上辺部を下部ケース３の蓋保持部２３上に配置させる。
【００５９】
すると、電池蓋１０の第１の指掛領域１７の延長部１７ａが、下面トリガーキー２０を超えて下部ケース３の蓋保持部２３上に配置される。この状態では、電池蓋１０に設けられた釦挿入孔２１が蓋保持部２３の釦孔２３ａに対応し、この釦孔２３ａを通して下面トリガーキー２０の操作釦２０ｂが電池蓋１０の釦挿入孔２１に相対的に挿入される。このときには、電池蓋１０の釦挿入孔２１の内周部が操作釦２０ｂの外周部に当接することなく良好に挿入する。
【００６０】
また、このときには、電池蓋１０の上辺部の縁部が、下部ケース３の裏面に設けられた一対の取付レバー１３に対応する。このため、これら一対の取付レバー１３を回転操作させることにより、一対の取付レバー１３によって電池蓋１０の上辺部の縁部が下部ケース３の裏面に押し付けられて係止される。これにより、電池蓋１０が、下面トリガーキー２０を超えた状態で、電池収納部１１の開口部１１ａを覆って下部ケース３の裏面に取り付けられる。
【００６１】
このような携帯端末を使用する場合には、電池蓋１０が位置する箇所のグリップ部１４をユーザが一方の手で握って機器ケース１を保持する。すなわち、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが一方の手でグリップ部１４を把握する。
【００６２】
このときには、母指Ｆ１が機器ケース１の表面のキー操作部５上に配置され、ユーザが把握する手の示指Ｆ２と中指Ｆ３との間に膨らみを持たせる形状の盛上り部１５の頭頂部１５ａが配置され、この状態で示指Ｆ２の腹が機器ケース１の裏面側に位置する電池蓋１０の盛上り部１５における第１の指掛領域１７に押し当てられ、他の指Ｆ３〜Ｆ５の各腹が盛上り部１５の第２の指掛領域１８上に配置される。
【００６３】
この状態では、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが把握する手の示指Ｆ２の腹を電池蓋１０の盛上り部１５における第１の指掛領域１７の傾斜面に押し当て、この状態で第１の指掛領域１７を盛上り部１５の下辺部側つまりユーザが把握する手側に向けて、その把握手の示指Ｆ２を引き寄せる。
【００６４】
この場合、示指Ｆ２の腹が電池蓋１０の盛上り部１５における第１の指掛領域１７の傾斜面に押し当てられ、機器ケース１の下辺部側つまりユーザが把握する手側に向けて引き寄せられると、示指Ｆ２が第１の指掛領域１７にその湾曲に沿って自然な状態で屈曲して押し当てられる。
【００６５】
このときには、ユーザが把握する手の示指Ｆ２が第１の指掛領域１７にその湾曲に沿って屈曲した形状で押し当てられても、示指Ｆ２の腹が第１の指掛領域１７の釦挿入孔２１に深く食い込むことがない。このため、操作釦２０ｂが示指Ｆ２の腹によって押し込まれることがないので、スイッチ本体２０ａがオン動作することがない。
【００６６】
また、このときには、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが把握する手の他の指Ｆ３〜Ｆ５の各腹が盛上り部１５の第２の指掛領域１８上に押し当てられる。この状態では、指Ｆ３〜Ｆ５が第２の指掛領域１８の湾曲面に沿って自然に曲がった状態で並んで配置される。
【００６７】
これにより、ユーザが把握する手の示指Ｆ２と中指Ｆ３との間に、盛上り部１５の頭頂部１５ａが配置された状態で、中指Ｆ３〜小指Ｆ５が盛り上がり部１５の第２の指掛領域１８を包み込むように自然に曲がった状態で第２の指掛領域１８に並んで配置される。このため、指Ｆ３〜Ｆ５が第２の指掛領域１８の湾曲面に沿って安定した状態で良好に配置される。これによって、ユーザが片手で機器ケース１のグリップ部１４を確実にかつ良好に把握することができる。
【００６８】
このように、ユーザが機器ケース１のグリップ部１４を握った際には、グリップ部１４が機器ケース１の幅狭部１ｂに設けられ、かつグリップ部１４の両側部から裏面側に向けて緩やかに湾曲して突出する湾曲形状に形成されていることにより、ユーザが把握する手で機器ケース１のグリップ部１４を確実にかつ良好に握ることができると共に、ユーザが把握する手をグリップ部１４にフィットさせることができる。
【００６９】
また、ユーザが機器ケース１のグリップ部１４を一方の手で握る際には、グリップ部１４が機器ケース１の横方向における中心位置を軸にして左右対称な形状に形成されていることにより、ユーザが右手でも、また左手でも、機器ケース１のグリップ部１４を確実にかつ良好に握ることができる。この場合にも、グリップ部１４の下面側が緩やかに湾曲して突出する湾曲形状に形成されていることにより、機器ケース１のグリップ部１４を片手で握った際に、ユーザの把握手がグリップ部１４にフィットする。
【００７０】
このようにユーザが機器ケース１のグリップ部１４を握った際には、母指Ｆ１が表示部４を遮ることなくキー操作部５上に配置されるので、表示部４に表示された情報を見ながら、母指Ｆ１をキー操作部５上において自由に移動させて、キー操作部５を良好にキー操作することができる。
【００７１】
また、ユーザが機器ケース１のグリップ部１４を握った際には、示指Ｆ２が盛上り部１５の第１の指掛領域１７の傾斜面に配置されるので、この第１の指掛領域１７の傾斜面に設けられた釦挿入孔２１に挿入された下面トリガーキー２０の操作釦２０ｂにユーザの把握手の示指Ｆ２が配置され、この状態で下面トリガーキー２０の操作釦２０ｂを示指Ｆ２で容易に操作することができる。
【００７２】
すなわち、ユーザが機器ケース１のグリップ部１４を一方の手で握った際には、ユーザが把握する手の示指Ｆ２が屈曲した形状で、その示指Ｆ２の腹が第１の指掛領域１７にその湾曲に沿って押し当てられて、盛上り部１５をその下辺部側、つまりユーザが把握する手側に向けて引き寄せた状態で、ユーザが把握する手の示指Ｆ２の腹を釦挿入孔２１に強く押し込むことができる。
【００７３】
このときには、下面トリガーキー２０の操作釦２０ｂが示指Ｆ２の腹によって押し込まれると、スイッチ本体２０ａのゴムシート２６の凸部２６ｂがばね部材２７を押圧し、ばね部材２７が急激に弾性変形した際に、ユーザが把握する手の示指Ｆ２にクリック感を付与して、ばね部材２７がスイッチ基板２５の接点に接触して接点を導通させる。これにより、下面トリガーキー２０のスイッチ本体２０ａがオン動作する。
【００７４】
このときには、下面トリガーキー２０は、その操作力感がキー操作部５の各キー、上面トリガーキー５ａ、および側面トリガーキー８の各操作力感と異なるように設定されているため、キー操作部５の各キー、上面トリガーキー５ａ、および側面トリガーキー８の操作力感と下面トリガーキー２０の操作力感との違いによって、下面トリガーキー２０とこれ以外のキーとの誤操作を防ぐことができる。
【００７５】
すなわち、この下面トリガーキー２０は、その操作釦２０ｂが電池蓋１０の釦挿入孔２１内に少し窪んで配置され、かつスイッチ本体２０ａのばね部材２７のばね力によって操作荷重が、キー操作部５の各キー、上面トリガーキー５ａ、および側面トリガーキー８の操作荷重よりも重く設定されている。このため、下面トリガーキー２０は、キー操作部５の各キー、上面トリガーキー５ａ、および側面トリガーキー８よりも操作荷重が重いので、その操作荷重の違いによって下面トリガーキー２０と他のキーとの誤操作を防ぐことができる。
【００７６】
また、下面トリガーキー２０は、その操作釦２０ｂが押されて、スイッチ本体２０ａがオン動作する際に、ユーザの示指Ｆ２に付与されるクリック感が、キー操作部５の各キー、上面トリガーキー５ａ、および側面トリガーキー８の各クリック感よりも強いので、そのクリック感の違いによって下面トリガーキー２０と他のキーとの誤操作を防ぐことができる。
【００７７】
このように、下面トリガーキー２０がオン動作すると、機器ケース１の幅広部１ａの裏面に設けられた光学読取部６が駆動されて、レーザ読取部がレーザ光線を読取突起部６ａの第１窓部６ｂから機器ケース１の外部に出射させ、そのレーザ光線の反射光を受光することにより、物品のバーコードなどを読み取る。また、このときには、光学読取部６の撮像部が第２窓部６ｃを通してレーザ読取部で読み取る物品の画像を撮影する。
【００７８】
このように、この携帯端末によれば、所定の把握態様でユーザの手により把握可能なグリップ部１４と、当該端末本体である機器ケース１の裏面から少なくとも被押圧部である操作釦２０ｂが露出するように設けられ、前記把握態様でユーザがグリップ部１４を把握した手の示指Ｆ２によって操作可能な第１スイッチ部である下面トリガーキー２０と、機器ケース１の表面から少なくとも被押圧部が露出するように設けられ、前記把握態様でユーザが把握した手の母指Ｆ１によって操作可能な第２スイッチ部である上面トリガーキー５ａと、を備え、被押圧部に対して必要な操作力感が、上面トリガーキー５ａよりも下面トリガーキー２０の方が大きくなるように設定されていることにより、上面トリガーキー５ａと下面トリガーキー２０との操作力感の違いによって誤操作を防ぐことができる。
【００７９】
また、この携帯端末によれば、当該端末本体である機器ケース１の側面から少なくとも被押圧部が露出するように、機器ケース１の両側に側面トリガーキー８が設けられた携帯端末であって、ユーザが一方の手の母指Ｆ１を機器ケース１の表面に被せ当該機器ケース１の脇側から延ばした少なくとも示指Ｆ２と中指Ｆ３とで当該機器ケース１の裏面を支えるような把握態様で、ユーザが一方の手により把握可能なグリップ部１４と、機器ケース１の裏面から被押圧部が露出するように設けられ、前記把握態様のときに一方の手の示指Ｆ２によって操作可能な下面トリガーキー２０と、を備え、前記被押圧部に対して必要な操作力感が、側面トリガーキー８よりも下面トリガーキー２０の方が大きくなるように設定されていることにより、側面トリガーキー８と下面トリガーキー２０との操作力感の違いによって誤操作を防ぐことができる。
【００８０】
また、この携帯端末によれば、当該端末本体である機器ケース１の表面から少なくとも被押圧部が露出するように、当該機器ケース１の表面に複数の表面スイッチであるキー操作部５が設けられた携帯端末であって、ユーザが一方の手の母指Ｆ１を当該機器ケース１の表面に被せ当該機器ケース１の脇側から延ばした少なくとも示指Ｆ２と中指Ｆ３とで当該機器ケース１の裏面を支えるような把握態様で、ユーザの一方の手により把握可能なグリップ部１４と、機器ケース１の裏面から被押圧部が露出するように設けられ、前記把握態様のときに一方の手の示指Ｆ２によって操作可能な下面トリガーキー２０と、を備え、前記被押圧部に対して必要な操作力感が、キー操作部５の複数のキーのそれぞれよりも下面トリガーキー２０の方が大きくなるように設定されていることにより、キー操作部５の複数のキーそれぞれと下面トリガーキー２０との操作力感の違いによって誤操作を防ぐことができる。
【００８１】
この場合、この携帯端末では、ユーザが母指Ｆ１を機器ケース１のグリップ部１４の表面に被せるように且つ当該機器ケース１を脇から片手で掴むように当該機器ケース１を把握するときに、ユーザが把握する手の示指Ｆ２が配置される第１の指掛領域１７がグリップ部１４の裏面に突出して設けられ、下面トリガーキー２０が第１の指掛領域１７の傾斜面に対応して設けられていることにより、下面トリガーキー２０をユーザの示指Ｆ２で容易に操作することができる。
【００８２】
すなわち、この携帯端末では、ユーザが機器ケース１のグリップ部１４を一方の手で握った際に、ユーザが把握する手の示指Ｆ２が屈曲した形状で、その示指Ｆ２の腹が第１の指掛領域１７にその湾曲に沿って押し当てられて、機器ケース１の盛上り部１５をその下辺部側、つまりユーザが把握する手側に向けて引き寄せた状態で、ユーザが把握する手の示指Ｆ２の腹を釦挿入孔２１に強く押し込むことができるので、下面トリガーキー２０をユーザの示指Ｆ２で容易に操作することができる。
【００８３】
また、この携帯端末では、下面トリガーキー２０の被押圧部である操作釦２０ｂの突出状態または陥没状態を、上面トリガーキー５ａ、側面トリガーキー８、キー操作部５の複数のキーとで異ならせることにより、必要な操作力感が下面トリガーキー２０とこれ以外のキーとで異なるように構成されていることにより、下面トリガーキー２０とこれ以外のキーとの操作力感の違いによって、下面トリガーキー２０とこれ以外のキーとの誤操作を防ぐことができる。
【００８４】
このため、この携帯端末では、ユーザが母指Ｆ１をキー操作部５に被せるように且つ機器ケース１をキー操作部５の脇から片手で掴むように機器ケース１を把握すると共に、ユーザが把握する手の示指Ｆ２を電池蓋１０の第１の指掛領域１７に押し当てた状態で、ユーザが母指Ｆ１でキー操作部５の各キー、上面トリガーキー５ａ、および側面トリガーキー８を操作する際に、これらのキーと下面トリガーキー２０とで操作力感が違うことにより、下面トリガーキー２０とこれ以外のキーとの誤操作を防ぐことができる。
【００８５】
また、この携帯端末では、下面トリガーキー２０の被押圧部である操作釦部２０ｂに対して必要な操作荷重を、上面トリガーキー５ａ、側面トリガーキー８、キー操作部５の複数のキーとで異ならせることにより、必要な操作力感が下面トリガーキー２０とこれ以外のキーとで異なるように構成されていることにより、下面トリガーキー２０とこれ以外のキーとの操作荷重の違いによって、下面トリガーキー２０とこれ以外のキーとの誤操作を防ぐことができる。
【００８６】
すなわち、この携帯端末では、下面トリガーキー２０のスイッチ本体２０ａがスイッチ基板２５とゴムシート２６とばね部材２７とを備えているので、下面トリガーキー２０の操作釦２０ｂが押されて、ゴムシート２６がばね部材２７を押圧する際に、ばね部材２７のばね力によって下面トリガーキー２０の操作荷重を、キー操作部５の各キー、上面トリガーキー５ａ、および側面トリガーキー８の各操作荷重よりも重くすることができる。
【００８７】
また、この携帯端末では、下面トリガーキー２０の被押圧部である操作部２０ｂに生じる必要なクリック感を、上面トリガーキー５ａ、側面トリガーキー８、キー操作部５の複数のキーとで異ならせることにより、必要な操作力感が下面トリガーキー２０とこれ以外のキーとで異なるように構成されていることにより、下面トリガーキー２０とこれ以外のキーとのクリック感の違いによって、下面トリガーキー２０とこれ以外のキーとの誤操作を防ぐことができる。
【００８８】
すなわち、下面トリガーキー２０は、キー操作されてオン状態になるときにユーザの示指Ｆ２に付与されるクリック感を、キー操作部５の各キー、上面トリガーキー５ａ、および側面トリガーキー８がユーザの母指Ｆ１に付与される各クリック感よりも大きく設定することにより、下面トリガーキー２０とこれ以外のキーとのクリック感の違いによって、下面トリガーキー２０とこれ以外のキーとの誤操作を防ぐことができる。
【００８９】
なお、上述した実施形態では、下面トリガーキー２０を電池蓋１０の釦挿入孔２１内に窪ませた状態で設けることにより、下面トリガーキー２０の操作力をキー操作部５の各キー、上面トリガーキー５ａ、および側面トリガーキー８の各操作力よりも強く設定した場合について述べたが、この発明はこれに限らず、下面トリガーキー２０の操作ストロークをキー操作部５の各キー、上面トリガーキー５ａ、および側面トリガーキー８の各操作ストロークよりも長く設定しても良い。
【００９０】
このように構成しても、上述した実施形態と同様、ユーザが把握する手の示指Ｆ２を電池蓋１０の第１の指掛領域１７に押し当てた状態で、ユーザが母指Ｆ１でキー操作部５の各キー、上面トリガーキー５ａ、および側面トリガーキー８を操作する場合と、ユーザが把握する手の示指Ｆ２で下面トリガーキー２０を操作する場合とで、操作ストロークが異なるため、下面トリガーキー２０とこれ以外のキーとの操作ストロークの違いによって、下面トリガーキー２０とこれ以外のキーとの誤操作を防ぐことができる。
【００９１】
また、上述した実施形態では、機器ケース１の表面に表示部４とキー操作部５とを設けた場合について述べたが、この発明はこれに限らず、例えばキー操作部を透明なタッチパネルで形成して表示パネルを積層させた入力表示部であっても良い。
【００９２】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００９３】
（付記）
請求項１に記載の発明は、所定の把握態様でユーザの手により把握可能なグリップ部と、当該端末本体の第１の面から少なくとも被押圧部が露出するように設けられ、前記把握態様でユーザが前記グリップ部を把握した手の示指によって操作可能な第１スイッチ部と、前記第１の面に対して反対側に位置する当該端末本体の第２の面から少なくとも被押圧部が露出するように設けられ、前記把握態様でユーザが把握した手の母指によって操作可能な第２スイッチ部と、を備え、前記被押圧部に対して必要な操作力感が、前記第２スイッチ部よりも前記第１スイッチ部の方が大きくなるように設定されていることを特徴とする携帯端末である。
【００９４】
請求項２に記載の発明は、当該端末本体の側面から少なくとも被押圧部が露出するように、当該端末本体の両側に側面スイッチが設けられた携帯端末であって、ユーザが一方の手の母指を当該端末本体の表面に被せ当該端末本体の脇側から延ばした少なくとも示指と中指とで当該端末本体の裏面を支えるような把握態様で、前記一方の手により把握可能なグリップ部と、前記裏面から被押圧部が露出するように設けられ、前記把握態様のときに前記一方の手の示指によって操作可能な下面スイッチ部と、を備え、前記被押圧部に対して必要な操作力感が、前記側面スイッチ部よりも前記下面スイッチ部の方が大きくなるように設定されていることを特徴とする携帯端末である。
【００９５】
請求項３に記載の発明は、当該端末本体の表面から少なくとも被押圧部が露出するように、当該端末本体の表面に複数の表面スイッチが設けられた携帯端末であって、ユーザが一方の手の母指を当該端末本体の表面に被せ当該端末本体の脇側から延ばした少なくとも示指と中指とで当該端末本体の裏面を支えるような把握態様で、前記一方の手により把握可能なグリップ部と、前記裏面から被押圧部が露出するように設けられ、前記把握態様のときに前記一方の手の示指によって操作可能な下面スイッチ部と、を備え、前記被押圧部に対して必要な操作力感が、前記複数の表面スイッチ部のそれぞれよりも前記下面スイッチ部の方が大きくなるように設定されていることを特徴とする携帯端末である。
【００９６】
請求項４に記載の発明は、請求項１〜請求項３のいずれかに記載の携帯端末において、前記被押圧部の突出状態または陥没状態を前記スイッチ部間で異ならせることにより、前記必要な操作力感が前記スイッチ部間で異なるように構成されていることを特徴とする携帯端末である。
【００９７】
請求項５に記載の発明は、請求項１〜請求項４のいずれかに記載の携帯端末において、前記被押圧部に対して必要な操作荷重を前記スイッチ部間で異ならせることにより、前記必要な操作力感が前記スイッチ部間で異なるように構成されている携帯端末である。
【００９８】
請求項６に記載の発明は、請求項１〜請求項５のいずれかに記載の携帯端末において、
前記被押圧部に対して必要な操作ストロークを前記スイッチ部間で異ならせることにより、前記必要な操作力感が前記スイッチ部間で異なるように構成されていることを特徴とする携帯端末である。
【００９９】
請求項７に記載の発明は、請求項１〜請求項６のいずれかに記載の携帯端末において、
前記被押圧部に対して必要なクリック感を前記スイッチ部間で異ならせることにより、前記必要な操作力感が前記スイッチ部間で異なるように構成されていることを特徴とする携帯端末である。
【符号の説明】
【０１００】
１  機器ケース
２  上部ケース
３  下部ケース
４  表示部
５  キー操作部
５ａ  上面トリガーキー
８  側面トリガーキー
１０  電池蓋
１０ａ  支点突起部
１１  電池収納部
１４  グリップ部
１５  盛上り部
１５ａ  頭頂部
１７  第１の指掛領域
１７ａ  延長部
１８  第２の指掛領域
２０  下面トリガーキー
２０ａ  スイッチ本体
２０ｂ  操作釦
２０ｃ  スイッチ保持部
２１  釦挿入孔
２２  回路基板
２３  蓋保持部
２３ａ  釦孔
２５  スイッチ基板
２６  ゴムシート
２７  ばね部材
【図１】
2019021215.tif 000003
【図２】
2019021215.tif 000004
【図３】
2019021215.tif 000005
【図４】
2019021215.tif 000006
【図５】
2019021215.tif 000007
【図６】
2019021215.tif 000008
【図７】
2019021215.tif 000009
【図８】
2019021215.tif 000010
【図９】
2019021215.tif 000011
【図１０】
2019021215.tif 000012